(57)【要約】【課題】本発明は、地震に伴う杭頭変形に対しても鉛直支持力を保持できる基礎杭、及び基礎杭の構築方法を提供する。【解決手段】所定の離間間隔をもって並列配置された複数の孔、かご鉄筋１３、及び鋼管９ａが据え付けられて、場所打ちコンクリート１４が打設され、鋼管９ａの外周部が埋め戻し土により埋め戻された状態で、鋼管９ａの中空部に高強度コンクリート９ｂを打設し、基礎杭７が構築される。高強度コンクリート９ｂの硬化後、鋼管９ａの上端部に柱６の鋼管６ａを同軸上に配置し、溶接等の固着手段によりこれらを固着し、鋼管６ａの中空部に高強度コンクリート６ｂを打設する。最後に構造物５の柱６の下端部近傍を連結するようにして、水平方向に基礎水平部材１０を構築し、基礎水平部材１０の上部に構造物５を構築する。【選択図】　図１
2004027727.tif 000002
【特許請求の範囲】
【請求項１】
地盤中の支持層に支持されて、鉛直軸と同軸上に配される杭本体と、
該杭本体の頭部に同軸上に配されて、頭部が基礎水平部材に結合される頭部杭とにより構成され、
前記杭本体が、場所打ちコンクリート杭よりなるとともに、
前記頭部杭が、前記構造物より作用する鉛直荷重を支持でき、かつ前記杭本体よりも小さい径を有する鋼管あるいはコンクリート充填鋼管よりなることを特徴とする基礎杭。
【請求項２】
請求項１に記載の基礎杭において、
前記基礎杭が、下層を構成する支持層と、中層を構成する非液状化層と、上層を構成する液状化層とによりなる地盤中に設けられ、
前記基礎杭の杭本体が、支持層に支持されて前記非液状化層の上層近傍に達する高さを有するとともに、
該杭本体の頭部に設けられる頭部杭が、前記液状化層に位置することを特徴とする基礎杭。
【請求項３】
請求項１または２に記載の基礎杭において、
前記構造物の柱が、前記頭部杭と同一、もしくはこれより小さい径を有する鋼管あるいはコンクリート充填鋼管よりなり、
該柱が、前記頭部杭と同軸上に配置されるとともに、頭部杭に剛に結合されることを特徴とする基礎杭。
【請求項４】
請求項１または２に記載の基礎杭の構築方法であって、
地盤を掘削し、杭本体を構成する鉄筋を配置するとともに、頭部杭を構成する鋼管を該鉄筋の上部に前記杭本体と同軸となるように配置する第１の工程と、
前記杭本体を構成する場所打ちコンクリートを打設し、該場所打ちコンクリートの硬化後に前記頭部杭を構成する鋼管の外周部を埋め戻す第２の工程と、
前記頭部杭を構成する鋼管の頭部に、前記頭部杭にパイルキャップを装着した上で、前記頭部杭の頭部を連結するように、水平に基礎水平部材を構築する第３の工程とにより構築されることを特徴とする基礎杭の構築方法。
【請求項５】
請求項４に記載の基礎杭の構築方法において、
第３の工程で、前記頭部杭を構成する鋼管の中空部にコンクリートを打設し、該コンクリートの硬化後に、前記頭部杭にパイルキャップを装着することを特徴とする基礎杭の構築方法。
【請求項６】
請求項３に記載の基礎杭の構築方法であって、
地盤を掘削し、杭本体を構成する鉄筋を配置するとともに、頭部杭を構成する鋼管を該鉄筋の上部に前記杭本体と同軸となるように配置する第１の工程と、
前記杭本体を構成する場所打ちコンクリートを打設し、該場所打ちコンクリートの硬化後に前記頭部杭を構成する鋼管の外周部を埋め戻す第２の工程と、
前記頭部杭を構成する鋼管の頭部に、構造物の柱を同軸上に接合する第３の工程と、
前記柱の脚部を連結するように、水平に基礎水平部材を構築する第４の工程とにより構築されることを特徴とする基礎杭の構築方法。
【請求項７】
請求項６に記載の基礎杭の構築方法において、
第３の工程で、前記頭部杭を構成する鋼管の中空部にコンクリートを打設した後、前記頭部杭を構成する鋼管の頭部に構造物の柱を同軸上に接合することを特徴とする基礎杭の構築方法。
【発明の詳細な説明】
【０００１】
【発明の属する技術分野】
本発明は、地震に伴う大きな杭頭変形に対しても鉛直支持力を保持できる基礎杭、及び基礎杭の構築方法に関する。
【０００２】
【従来の技術】
従来より、図７に示すように、非液状化層３、及び液状化層４を有する地盤１に配される構造物５の杭１７において、前記液状化層４と非液状化層３の境界で生じる大きなせん断ひずみにより、境界部の杭本体１７ａに応力集中が生じるとともに、地表面付近では大きな地盤変形に対応するため杭頭部１７ｂには大きな断面力が発生する。このような現象に対応するため、一般的に前記杭１７には、曲げ剛性を高めることを目的に、鋼管巻きの場所打ち鉄筋コンクリート杭や、拡頭場所打ち鉄筋コンクリート杭等が用いられている。
【０００３】
【発明が解決しようとする課題】
しかし、上述するような曲げ剛性を高めた杭１７では、杭頭部１７ｂの変位を抑えることができるものの、杭頭部１７ｂや液状化層と非液状化層との境界部近傍の杭本体１７ａは断面が大きくなり、杭１７や基礎水平部材１０の部材断面を大きく取る必要が生じる等、工費が大幅に上昇することとなる。
【０００４】
上記事情に鑑み、本発明は、簡略な構成で施工性が良く、地震に伴う大きな杭頭変形に対しても鉛直支持力を保持できる基礎杭、及び基礎杭の構築方法を提供することを目的としている。
【０００５】
【課題を解決するための手段】
請求項１に記載の基礎杭は、地盤中の支持層に支持されて、鉛直軸と同軸上に配される杭本体と、該杭本体の頭部に同軸上に配されて、頭部が基礎水平部材に結合される頭部杭とにより構成され、前記杭本体が、場所打ちコンクリート杭よりなるとともに、前記頭部杭が、前記構造物より作用する鉛直荷重を支持でき、かつ前記杭本体よりも小さい径を有する鋼管あるいはコンクリート充填鋼管よりなることを特徴としている。
【０００６】
請求項２に記載の基礎杭は、前記基礎杭が、下層を構成する支持層と、中層を構成する非液状化層と、上層を構成する液状化層とによりなる地盤中に設けられ、前記基礎杭の杭本体が、支持層に支持されて前記非液状化層の上層近傍に達する高さを有するとともに、該杭本体の頭部に設けられる頭部杭が、前記液状化層に位置することを特徴としている。
【０００７】
請求項３に記載の基礎杭は、前記構造物の柱が、前記頭部杭と同一、もしくはこれより小さい径を有する鋼管あるいはコンクリート充填鋼管よりなり、該柱が、前記頭部杭と同軸上に配置されるとともに、頭部杭に剛に結合されることを特徴とする基礎杭。
【０００８】
請求項４に記載の基礎杭の構築方法は、地盤を掘削し、杭本体を構成する鉄筋を配置するとともに、頭部杭を構成する鋼管を該鉄筋の上部に前記杭本体と同軸となるように配置する第１の工程と、前記杭本体を構成する場所打ちコンクリートを打設し、該場所打ちコンクリートの硬化後に前記頭部杭を構成する鋼管の外周部を埋め戻す第２の工程と、前記頭部杭を構成する鋼管の頭部に、前記頭部杭にパイルキャップを装着した上で、前記頭部杭の頭部を連結するように、水平に基礎水平部材を構築する第３の工程とにより構築されることを特徴としている。
【０００９】
請求項５に記載の基礎杭の構築方法において、第３の工程で、前記頭部杭を構成する鋼管の中空部にコンクリートを打設し、該コンクリートの硬化後に、前記頭部杭にパイルキャップを装着することを特徴としている。
【００１０】
請求項６に記載の基礎杭の構築方法は、地盤を掘削し、杭本体を構成する鉄筋を配置するとともに、頭部杭を構成する鋼管を該鉄筋の上部に前記杭本体と同軸となるように配置する第１の工程と、前記杭本体を構成する場所打ちコンクリートを打設し、該場所打ちコンクリートの硬化後に前記頭部杭を構成する鋼管の外周部を埋め戻す第２の工程と、前記頭部杭を構成する鋼管の頭部に、構造物の柱を同軸上に接合する第３の工程と、前記柱の脚部を連結するように、水平に基礎水平部材を構築する第４の工程とにより構築されることを特徴としている。
【００１１】
請求項７に記載の基礎杭の構築方法は、第３の工程で、前記頭部杭を構成する鋼管の中空部にコンクリートを打設した後、前記頭部杭を構成する鋼管の頭部に構造物の柱を同軸上に接合することを特徴としている。
【００１２】
【発明の実施の形態】
本発明に係る基礎杭、及び基礎杭の構築方法を図１から図６に示す。本発明の基礎杭は、断面径が小さい鋼管あるいはコンクリート充填鋼管を杭頭部に配置することにより、地盤の液状化に伴う大きな杭頭変形に対しても鉛直支持力を保持できる高靭性の基礎杭を実現するものである。
【００１３】
図１に示すように、下層を構成する支持層２と、中層を構成する非液状化層３と、上層を構成する液状化層４とによりなる地盤１には、構造物５を支持する複数の基礎杭７が所定の間隔をもって離間配置されている。該基礎杭７は、支持層２に支持される基礎杭本体８と、該基礎杭本体８の頭部に配置される頭部杭９とにより構成される。なお、地盤１を構成する支持層２は、前記構造物５の荷重に耐えうる強度を有するものである。また、本実施の形態において、基礎杭７は液状化層４を有する地盤１に設ける構成としたが、これにこだわるものではなく、不同沈下を起こす可能性がある軟弱地盤で、かつ軟弱層が厚いために杭基礎を必要とする地盤の何れにも適用可能である。
【００１４】
前記基礎杭本体８は、場所打ちコンクリート１４を用いた鉄筋コンクリートによりなるもので、支持層２に支持されて、鉛直軸と同軸となるように配置されている。該基礎杭本体８は、一般に用いられる場所打ちコンクリート杭と同様の杭基礎設計により算出される杭断面を有するとともに、その杭長は、前記非液状化層３の上層に達する程度の長さを有している。基礎杭本体８の頭部には、下端部を基礎杭本体８の内方に埋め込まれるようにして頭部杭９が接合されている。
【００１５】
該頭部杭９は、基礎杭本体８と同軸上に配置されており、厚肉の鋼管９ａ、及び鋼管９ａの中空部を充填する高強度コンクリート９ｂよりなるコンクリート充填鋼管により構成されている。該頭部杭９の断面径は、構造物５より作用する鉛直荷重を支持できる強度を有する程度とし、基礎杭本体８に比べて小さく形成されており、これに伴い曲げ剛性も基礎杭本体８に比べて小さい。なお、前記頭部杭９は、非液状化層３の上層に位置する基礎杭本体８の上部に設けられていることから、頭部杭９のほぼ全体が前記液状化層４に位置することとなる。また、前記基礎杭本体８の頭部に埋め込まれている頭部杭９を構成する鋼管９ａの下端部近傍の外周面には、スタッドジベルを取り付けることにより凹凸面１１が形成されており、頭部杭９の基礎杭本体８への定着強度を高めている。
【００１６】
本実施の形態において、頭部杭９には、厚肉の鋼管９ａ、及び鋼管９ａの中空部を充填する高強度コンクリート９ｂよりなるコンクリート充填鋼管を用いたが、これにこだわるものではなく、上部に構築される建築物の鉛直荷重を支持できる強度を有するものであれば、高強度コンクリート９ｂを充填しない鋼管９ａのみの構成を用いても良い。
また、鋼管９ａの下端部近傍の外周面には、凹凸面１１を形成することを目的にスタッドジベルが設けられているが、これにこだわるものではなく、例えば、図２（ａ）に示すような、鋼管９ａの外周面に鋼棒等よりなる複数のリングを溶接等の固着手段を介して固着する構成や、外周面に圧延成形の突起を設ける構成、図２（ｂ）に示すような、波型に成形した鋼管９ａを用いた構成等、鋼管９ａの頭部杭９の基礎杭本体８への定着強度を高めることが可能な構成であれば、何れを用いても良い。
【００１７】
ところで、上述する基礎杭７に支持される前記構造物５の柱６は、鋼管６ａと、該鋼管６ａの中空部を充填するコンクリート６ｂによるコンクリート充填鋼管により構成されており、その断面径は、頭部杭９と同一に形成されている。該柱６は、頭部杭９と同軸に配されており、柱６を構成する鋼管６ａの下端面が、頭部杭９を構成する鋼管９ａの上端面と面どうしで接するようにして、溶接等の固着手段により固着されている。なお、前記構造物５の柱６は、前記頭部杭９と同一の断面径を有しているが、これにこだわるものではなく、柱６と頭部杭９とが鉛直方向に同軸上で剛に接合することができれば、柱６は頭部杭９より小さい断面径でもよい。また、該柱６は、コンクリート充填鋼管にこだわるものではなく、鋼管６ａのみの構成等何れの構成を用いても良い。
【００１８】
該柱６の下端部近傍には、基礎水平部材１０として基礎梁が設けられており、これらが隣り合う柱６どうしを連結する。ここで、該基礎水平部材１０に埋設され柱６を構成する鋼管６ａの下端部の外周面には、凹凸面１１が形成されており、柱６の基礎水平部材１０への定着強度を高めている。なお、柱６を構成する鋼管６ａに形成される凹凸面１１も、頭部杭９を構成する鋼管９ａに形成される凹凸面１１と同様に、柱６の基礎水平部材１０への定着強度を高めることの可能な構成であれば、何れの構成を用いても良い。
【００１９】
このように、非液状化層３の上層から液状化層４の範囲に位置する基礎杭７は、構造物５より作用される鉛直荷重を支持でき、断面径が細く厚肉な鋼管９ａを備える曲げ剛性の小さい頭部杭９が杭頭部に配置されている。これにより、地震等により構造物５を介して頭部杭９に水平力が作用すると、頭部杭９は鉛直支持力を保持した状態でたわみが生じ、杭頭変位が大きくなるものの、曲げモーメントが小さく断面力も小さいため、基礎水平部材１０の部材断面を大幅に低減できる。また、所定規模以上の地震が発生すると、前記地盤１が液状化し、これに伴う長周期化と、たわんだ頭部杭９周りの地盤の減衰が増加することにより、構造物５への応答を低減できるものである。
【００２０】
なお、本実施の形態では、隣り合う柱６どうしは基礎梁により連結されているが、これにこだわるものではなく、マットスラブを設ける等、上部に構造物５を構築できれば、基礎水平部材１０として何れの構成を用いても良い。
【００２１】
また、前記基礎水平部材１０を、前記頭部杭９の上端部近傍を連結するように構築し、基礎水平部材１０の上部に前記構造物５を構築する構成とすれば、本発明の基礎杭７は、構造物５自身や柱６の形態の構成にこだわるものではなく、いずれの構造形式にも適用できるものである。その際、基礎水平部材１０に埋設される頭部杭９の頭部には、図４（ｂ）（ｃ）に示すように、一般的に杭の頭部に用いられているパイルキャップ１５が取り付けられて、その上部に前記構造物５の柱６が構築されることとなる。なお、これにこだわるものではなく、必ずしもパイルキャップ１５を用いなくとも良い。
【００２２】
（第１の実施の形態）
上述する構成による前記基礎杭７の構築方法を以下に示す。まず第１の実施の形態として、前記構造物５を構成する柱６の構成によらない、基礎杭７の構築方法を図３、及び図４に示す。なお、第１の実施の形態では、頭部杭９に、コンクリート充填鋼管が用いられる場合を例に挙げて詳述する。
【００２３】
（第１の工程）
まず、図３（ａ）に示すように、前記地盤１の構造物５を設けたい領域内で、所定の離間間隔をもって並列配置となるように、アースドリル等の掘削手段を介して孔壁安定液を充たしながら複数の孔１２を掘削する。該孔１２の形状は、前記基礎杭７を構成する基礎杭本体８に準じるものとするが、該基礎杭本体８は、必要に応じて底部を拡底する形状としても良い。一方で、あらかじめ前記基礎杭本体８を構成する鉄筋を組み合わせたかご鉄筋１３を地組みしておき、掘削後の孔１２の所定位置にかご鉄筋１３を据え付ける。
【００２４】
次に、図３（ｂ）に示すように、該かご鉄筋１３の所定位置に、前記頭部杭９を構成する鋼管９ａの下端部近傍を挿入し、固着手段を介して固着する。このとき、前記かご鉄筋１３への鋼管９ａの挿入長さＬは、後に頭部杭９の杭径ｒの１〜４倍程度の長さが、前記基礎杭本体８の場所打ちコンクリート１４の内方に埋め込まれる程度を目安とする。なお、前記かご鉄筋１３を地組みする際に、後に基礎杭本体８の上部に構築される頭部杭９の鋼管９ａを、かご鉄筋１３に固着しておき、鋼管９ａ付きのかご鉄筋１３を形成した上で、前記孔１２の所定位置に据え付けてもよい。
【００２５】
（第２の工程）
前記図３（ｃ）に示すように、前記かご鉄筋１３及び鋼管９ａが据えられた孔１２の内方に、非液状化層３の上層における所定の深さまで場所打ちコンクリート１４を打設する。なお、該場所打ちコンクリート１４が前記鋼管９ａの中空部に入り込まないように、前記鋼管９ａの底部には、あらかじめ水中コンクリートの充填を良くするために丸みを帯びた底蓋９ｃを取り付けておくが、これにこだわるものではなく、場所打ちコンクリート１４と鋼管９ａに同時に水中コンクリートが打設される場合には、底蓋９ｃがなくとも良い。これら前記場所打ちコンクリート１４が硬化した後、前記鋼管９ａの近傍に残留する孔壁安定液を排出し、埋め戻し土１６、もしくは採石等を投入して、前記孔１２の内方を充たす。
【００２６】
（第３の工程）
図４（ａ）に示すように、前記鋼管９ａの中空部に高強度コンクリート９ｂを打設して硬化後、図４（ｂ）に示すように、鋼管９ａの上端部に蓋をするようにパイルキャップ１５を設置し、基礎杭７が構築される。この後、図４（ｃ）に示すように、頭部杭９の上端部近傍を連結するようにして水平に前記基礎水平部材１０を構築し、基礎水平部材１０の上部に構造物５を構築する。
【００２７】
なお、前記基礎杭７の頭部杭９に断面径が細く厚肉な鋼管９ａのみを用いる場合には、第２の工程終了後、鋼管９ａの上端部にパイルキャップ１５を設置し、基礎杭７を構築する、もしくはあらかじめ上端部にパイルキャップ１５が設置された鋼管９ａを用いても良い。
【００２８】
（第２の実施の形態）
次に、第２の実施の形態として、前記構造物５の柱６が、前記頭部杭９と断面径の等しいコンクリート充填鋼管により構成される場合の、基礎杭７の構築方法を図５に示す。なお、第２の実施の形態では、第１の実施の形態と同様、頭部杭９に、コンクリート充填鋼管が用いられる場合を例に挙げて詳述する。また、第１の工程、及び第２の工程は、図３及び上記と同様なため、第３の工程より以下に示す。
【００２９】
（第３の工程）
所定の離間間隔をもって並列配置された複数の前記孔１２に、かご鉄筋１３、及び鋼管９ａが据え付けられるとともに、非液状化層３の上層における所定の深さまで場所打ちコンクリート１４が打設され、鋼管９ａの外周部が埋め戻し土１６により埋め戻された状態で、図５（ａ）に示すように、鋼管９ａの中空部に高強度コンクリート９ｂを打設し、前記基礎杭７を構築する。
【００３０】
該高強度コンクリート９ｂの硬化後、図５（ｂ）に示すように、鋼管９ａの上端部に構造物５の柱６を構成する鋼管６ａを同軸上に配置し、頭部杭９の鋼管９ａの上端面と、柱６の鋼管６ａの下端面が面どうしで接するようにして溶接等の固着手段によりこれらを固着する。鋼管６ａの中空部に前記高強度コンクリート６ｂを打設する。
【００３１】
（第４の工程）
最後に、図５（ｃ）に示すように、前記構造物５の柱６の下端部近傍を連結するようにして、水平方向に基礎水平部材１０を構築し、該基礎水平部材１０の上部に構造物５を構築する。
【００３２】
なお、前記基礎杭７の頭部杭９に断面径が細く厚肉な鋼管９ａのみを用いる場合には、第３の工程で、前記孔１２における鋼管９ａの外周部への埋め戻し土１６による埋め戻し終了後、鋼管９ａの上端部に柱６を構成する鋼管６ａを同軸上に配置し、剛に固着すればよい。
また、前記柱６に鋼管６ａのみを用いる場合には、第３の工程において、柱６の鋼管６ａと頭部杭９の鋼管９ａとの接合後、第４の工程を実施すればよい。
さらに、第２の実施の形態では、柱６を構成する鋼管６ａと頭部杭９を構成する鋼管９ａの断面径が等しい場合を例に取り詳述した。しかし、前記柱６を構成する鋼管６ａが、頭部杭９を構成する鋼管９ａに比べて断面径が小さい場合においても、鉛直方向に同軸状に配されて、いずれかの方法により鋼管６ａの下端部近傍と鋼管９ａの上端部近傍とが剛に結合される構成を用いれば、柱６の鋼管６ａと頭部杭９の鋼管９ａを同一断面径とすることにこだわるものではない。
【００３３】
第１、及び第２の実施の形態で示すような、前記基礎杭７の構造的な性能について、レベル２クラスの大地震を想定し、基礎杭７の曲げモーメントと変形量、及び構造物５の応答を評価した。なお、対象とする構造物５は４階建ての建築物で、表１に示す地盤定数を有する地盤上に構築されていることを想定している。
【００３４】
【表１】
2004027727.tif 000003
【００３５】
図６（ａ）（ｂ）に示すように、基礎に鋼管巻き場所打ちコンクリート杭を用いた場合、及び地盤改良がなされた地盤に本実施の形態の基礎杭７の基礎杭本体８と同様の断面径を有する場所打ちコンクリート杭を用いた場合に比べて、前記基礎杭７は杭頭部の変位が大きいものの、曲げモーメントは鋼管巻き場所打ちコンクリート杭より大幅に低減していることがわかる。
【００３６】
また、図６（ｃ）に示すように、前記基礎杭７の上部に構築された構造物５は、基礎杭７の頭部杭９の剛性が小さく、前記液状化層４を有することから、他の杭に比べて構造物５への応答を低減させていることがわかる。
【００３７】
したがって、上述する構成によれば、前記基礎杭７は杭頭部が、構造物５より作用される鉛直荷重を支持でき、断面径が細く厚肉な鋼管９ａを備える曲げ剛性の小さい頭部杭９により構成されることから、地震等により前記構造物５を介して頭部杭９に水平力が作用すると、頭部杭９は鉛直支持力を保持した状態でたわみが生じ、杭頭変位が大きくなるものの、曲げモーメントは小さく断面力も小さくなる。これにより、前記基礎杭７に連結される基礎水平部材１０の寸法や掘削量、土留め工事を大きく低減することが可能となるとともに、基礎全体の建設コストを大幅に低減することが可能となる。
【００３８】
このような前記基礎杭７は、軟弱地盤にも適用可能であるが、さらに、前記基礎杭７を液状化層４を有する地盤１中に設けて、曲げ剛性の小さい頭部杭９を非液状化層３の上層から液状化層４に位置する杭頭部に配置することにより、所定規模以上の地震が発生すると、地盤１が液状化するためにこれに伴う長周期化、たわんだ頭部杭９周りの地盤の減衰が増加することにより、前記構造物５への応答を低減することが可能となる。
【００３９】
また、前記基礎杭７は、上方に構築される構造物５の構成にこだわらないため、汎用性が高く、いずれの構造形式にも適用することが可能となる。
【００４０】
さらに、前記構造物５の柱６が、頭部杭９と同軸状に配される場合には、該柱６と、頭部杭９とが固着手段を介して固着されて剛に接合されていることから、前記構造物５より頭部杭９に作用する鉛直荷重をスムーズに伝達することが可能となる。
【００４１】
また、前記基礎杭７は、特殊な材料や接合部を必要とせず、構成も簡略なため、施工性が良く工費削減、工期短縮に大きく寄与することが可能となる。
【００４２】
【発明の効果】
請求項１に記載の基礎杭によれば、地盤中の支持層に支持されて、鉛直軸と同軸上に配される杭本体と、該杭本体の頭部に同軸上に配されて、頭部が基礎水平部材に結合される頭部杭とにより構成され、前記杭本体が、場所打ちコンクリート杭よりなるとともに、前記頭部杭が、前記構造物より作用する鉛直荷重を支持でき、かつ前記杭本体よりも小さい径を有する鋼管あるいはコンクリート充填鋼管よりなることから、地震等により前記構造物を介して前記頭部杭に水平力が作用すると、前記頭部杭は鉛直支持力を保持した状態でたわみが生じ、杭頭変位が大きくなるものの、曲げモーメントが小さく断面力も小さくなり、基礎水平部材の部材断面を大幅に低減することが可能となる。これにより、基礎杭に連結される基礎水平部材の寸法や掘削量、土留め工事を大きく低減することが可能となるとともに、基礎の建設コストを大幅に低減することが可能となる。
【００４３】
また、前記基礎杭は、その上方に構築される構造物の形態の構成にこだわらないため、汎用性が高く、いずれの構造形式にも適用することが可能となる。
【００４４】
請求項２に記載の基礎杭によれば、前記基礎杭が、下層を構成する支持層と、中層を構成する非液状化層と、上層を構成する液状化層とによりなる地盤中に設けられ、前記基礎杭の杭本体が、支持層に支持されて前記非液状化層の上層近傍に達する高さを有するとともに、該杭本体の頭部に設けられる頭部杭が、前記液状化層に位置することから、前記基礎杭は、軟弱地盤にも適用可能であるが、さらに、前記基礎杭を液状化層を有する地盤中に設けることにより、所定規模以上の地震が発生すると、地盤が液状化するためにこれに伴う長周期化、たわんだ頭部杭周りの地盤の減衰が増加することにより、構造物への応答を低減することが可能となる。
【００４５】
請求項３に記載の基礎杭によれば、前記構造物の柱が、前記頭部杭と同一、もしくはこれより小さい径を有する鋼管あるいはコンクリート充填鋼管よりなり、該柱が、前記頭部杭と同軸上に配置されるとともに、頭部杭に剛に結合されることから、構造物より頭部杭に作用する鉛直荷重をスムーズに伝達することが可能となる。
【００４６】
請求項４、５に記載の基礎杭の構築方法によれば、地盤を掘削し、杭本体を構成する鉄筋を配置するとともに、頭部杭を構成する鋼管を該鉄筋の上部に前記杭本体と同軸となるように配置する第１の工程と、前記杭本体を構成する場所打ちコンクリートを打設し、該場所打ちコンクリートの硬化後に前記頭部杭を構成する鋼管の外周部を埋め戻す第２の工程と、前記頭部杭を構成する鋼管の頭部に、前記頭部杭にパイルキャップを装着した上で、前記頭部杭の頭部を連結するように、水平に基礎水平部材を構築する第３の工程とにより構築される、もしくは、第３の工程で、前記頭部杭を構成する鋼管の中空部にコンクリートを打設し、該コンクリートの硬化後に、前記頭部杭にパイルキャップを装着する。
また、地盤を掘削し、杭本体を構成する鉄筋を配置するとともに、頭部杭を構成する鋼管を該鉄筋の上部に前記杭本体と同軸となるように配置する第１の工程と、前記杭本体を構成する場所打ちコンクリートを打設し、該場所打ちコンクリートの硬化後に前記頭部杭を構成する鋼管の外周部を埋め戻す第２の工程と、前記頭部杭を構成する鋼管の頭部に、構造物の柱を同軸上に接合する第３の工程と、前記柱の脚部を連結するように、水平に基礎水平部材を構築する第４の工程とにより構築される。もしくは、第３の工程で、前記頭部杭を構成する鋼管の中空部にコンクリートを打設した後、前記頭部杭を構成する鋼管の頭部に構造物の柱を同軸上に接合する。これにより、特殊な材料や接合部を必要とせず、構成も簡略なため、施工性が良く工費削減、工期短縮に大きく寄与することが可能となる。
【図面の簡単な説明】
【図１】本発明に係る基礎杭の概略を示す図である。
【図２】本発明に係る頭部杭の鋼管の凹凸面を示す図である。
【図３】本発明に係る基礎杭の基礎杭本体の施工方法を示す図である。
【図４】本発明に係る基礎杭の基礎杭本体及び基礎水平部材の施工方法を示す図である。
【図５】本発明に係る基礎杭の基礎杭本体及び上部に構築される柱の施工方法を示す図である。
【図６】本発明に係る基礎杭の性能評価を示すグラフである。
【図７】従来の基礎杭の概略を示す図である。
【符号の説明】
１　地盤
２　支持層
３　非液状化層
４　液状化層
５　構造物
６　柱
６ａ　鋼管
６ｂ　高強度コンクリート
７　基礎杭
８　基礎杭本体
９　頭部杭
９ａ　鋼管
９ｂ　高強度コンクリート
９ｃ　底蓋
１０　基礎水平部材
１１　凹凸面
１２　孔
１３　かご鉄筋
１４　場所打ちコンクリート
１５　パイルキャップ
１６　埋め戻し土
１７　杭
１７ａ　杭本体
１７ｂ　杭頭部
【図１】
2004027727.tif 000004
【図２】
2004027727.tif 000005
【図３】
2004027727.tif 000006
【図４】
2004027727.tif 000007
【図５】
2004027727.tif 000008
【図６】
2004027727.tif 000009
【図７】
2004027727.tif 000010